(57)【要約】      （修正有）【課題】インキ供給装置の洗浄とブランケット洗浄との両方の洗浄時間の短縮を図る。【解決手段】インキローラ５ａを回転させながら該インキローラを洗浄装置３０により洗浄するインキローラ洗浄工程と、前記インキローラとともに回転するブランケット胴３の表面に、洗浄装置１０の洗浄部を押し付けて該ブランケット胴の表面を洗浄するブランケット洗浄工程とを備える。そして、ブランケット洗浄は、インキローラが洗浄により回転した際に、そのインキローラを回転させながらブランケット洗浄を行う。【選択図】図１
2011016263.tif 000002
【特許請求の範囲】
【請求項１】
インキローラを回転させながら該インキローラを洗浄装置により洗浄するインキローラ洗浄工程と、前記インキローラとともに回転するブランケット胴の表面に、洗浄装置の洗浄部を押し付けて該ブランケット胴の表面を洗浄するブランケット洗浄工程とを備え、ブランケット洗浄は、インキローラが洗浄により回転した際に、そのインキローラを回転させながらブランケット洗浄を行うことを特徴とする印刷機におけるインキローラおよびブランケット洗浄方法。
【請求項２】
前記請求項１に記載の印刷機におけるインキローラおよびブランケット洗浄方法において、前記インキローラの洗浄終了後に、前記ブランケット胴の回転速度に基づいて前記洗浄装置の洗浄部を断続的に押圧させる時間を制御し、前記インキローラを停止させることなくブランケット胴の表面を洗浄することを特徴とする印刷機におけるインキローラおよびブランケット洗浄方法。
【請求項３】
前記請求項１に記載の印刷機におけるインキローラおよびブランケット洗浄方法において、前記ブランケット胴の回転速度に基づいて前記洗浄装置の洗浄部を断続的に押圧させる時間を制御し、前記インキローラの洗浄中にブランケット胴の表面を洗浄することを特徴とする印刷機におけるインキローラおよびブランケット洗浄方法。
【請求項４】
印刷版を備えた版胴と、前記版胴からインキを転写されて印刷用紙に印刷を行うブランケット胴と、前記版胴にインキを供給するインキ供給装置と、前記インキ供給装置のインキローラを洗浄するインキ洗浄装置と、ブランケット胴の表面を洗浄するブランケット洗浄装置とを備えた印刷機において、
前記ブランケット胴の回転速度に基づいて前記洗浄装置の洗浄部を断続的に押圧させる時間を制御する制御部を備え、前記インキローラの洗浄中にブランケット胴の表面を洗浄することを特徴とする印刷機におけるインキローラおよびブランケット洗浄システム。
【請求項５】
印刷版を備えた版胴と、前記版胴からインキを転写されて印刷用紙に印刷を行うブランケット胴と、前記版胴にインキを供給するインキ供給装置と、前記インキ供給装置のインキローラを洗浄するインキ洗浄装置と、前記ブランケット胴の表面を洗浄するブランケット洗浄装置とを備えた印刷機において、
前記ブランケット胴の回転速度に基づいて前記洗浄装置の洗浄部を断続的に押圧させる時間を制御する制御部を備え、前記洗浄後のインキローラを停止させることなくブランケット胴の表面を洗浄することを特徴とする印刷機におけるインキローラおよびブランケット洗浄システム。
【発明の詳細な説明】
【技術分野】
【０００１】
本発明は、印刷機におけるインキローラおよびブランケット洗浄方法並びにそのその洗浄システムに関する。
【背景技術】
【０００２】
一般に、オフセット輪転印刷機（輪転機）は、印刷する色数や差換え印刷に対応して複数の印刷ユニットにより構成されている。そして、これらの複数の印刷ユニットは、印刷版を備えた版胴と、この版胴からインキを転写されて印刷用紙に印刷を行うブランケット胴と、インキ供給装置と、水供給装置とを備えている。
【０００３】
インキ供給装置のインキローラは、印刷する色を変更する際や、印刷休止の際に洗浄が行われている（例えば、特許文献１参照）。
【０００４】
また、印刷を長時間継続しているとブランケット胴の表面にインキや紙粉等の汚れが付着する。このようにブランケット胴の表面にインキカス等の付着量が多くなると印刷品質に悪影響を与えるため、所定の部数印刷した後にブランケット胴を洗浄する必要が生じる。そのため、ブランケット洗浄装置を使用したブランケット洗浄が行われている（例えば、特許文献２参照）。
【０００５】
前記インキ供給装置の洗浄とブランケット洗浄とを行う場合には、従来では、先ず、インキ供給装置洗浄を行い、その後に、ブランケット洗浄を行っている。すなわち、インキ供給装置洗浄は、版胴側へのインキ供給を停止すべく、輪転機を停止させた後に、再びインキローラを回転させた空転状態で行い、インキローラ洗浄が終了すると、輪転機を停止させる。
【０００６】
次に、ブランケット洗浄を行う際には、輪転機を低速駆動させることにより、インキローラの洗浄時の回転よりも低速且つ一定回転でブランケット胴を回転させながらブランケット洗浄を行っていた。
【先行技術文献】
【特許文献】
【０００７】
【特許文献１】特開平６―２６２７５７号公報
【特許文献２】特開平８―２０１０４号公報
【発明の概要】
【発明が解決しようとする課題】
【０００８】
しかしながら、前記輪転機における洗浄方法は、輪転機を一旦停止させてからインキ供給装置の洗浄を行い、洗浄が終了すると輪転機を一旦停止させる。その後に、停止していたブランケット胴を低速回転させながらブランケット洗浄を行っているため、インキ供給装置の洗浄とブランケット洗浄との両方の洗浄を行う場合、全体の洗浄時間が長くなる問題があった。
【０００９】
本発明は、インキ供給装置の洗浄とブランケット洗浄との両方の洗浄時間の短縮を図ることを目的とする。
【課題を解決するための手段】
【００１０】
本発明は、インキローラを回転させながら該インキローラを洗浄装置により洗浄するインキローラ洗浄工程と、前記インキローラとともに回転するブランケット胴の表面に、洗浄装置の洗浄部を押し付けて該ブランケット胴の表面を洗浄するブランケット洗浄工程とを備え、ブランケット洗浄は、インキローラが洗浄により回転した際に、そのインキローラを回転させながらブランケット洗浄を行うことにある。
【００１１】
前記印刷機におけるインキローラおよびブランケット洗浄方法において、前記インキローラの洗浄終了後に、前記ブランケット胴の回転速度に基づいて前記洗浄装置の洗浄部を断続的に押圧させる時間を制御し、前記インキローラを停止させることなくブランケット胴の表面を洗浄することにある。
【００１２】
前記印刷機におけるインキローラおよびブランケット洗浄方法において、前記ブランケット胴の回転速度に基づいて前記洗浄装置の洗浄部を断続的に押圧させる時間を制御し、前記インキローラの洗浄中にブランケット胴の表面を洗浄することにある。
【００１３】
本発明は、印刷版を備えた版胴と、前記版胴からインキを転写されて印刷用紙に印刷を行うブランケット胴と、前記版胴にインキを供給するインキ供給装置と、前記インキ供給装置のインキローラを洗浄するインキ洗浄装置と、ブランケット胴の表面を洗浄するブランケット洗浄装置とを備えた印刷機において、前記ブランケット胴の回転速度に基づいて前記洗浄装置の洗浄部を断続的に押圧させる時間を制御する制御部を備え、前記インキローラの洗浄中にブランケット胴の表面を洗浄することにある。
【００１４】
本発明は、印刷版を備えた版胴と、前記版胴からインキを転写されて印刷用紙に印刷を行うブランケット胴と、前記版胴にインキを供給するインキ供給装置と、前記インキ供給装置のインキローラを洗浄するインキ洗浄装置と、前記ブランケット胴の表面を洗浄するブランケット洗浄装置とを備えた印刷機において、前記ブランケット胴の回転速度に基づいて前記洗浄装置の洗浄部を断続的に押圧させる時間を制御する制御部を備え、前記洗浄後のインキローラを停止させることなくブランケット胴の表面を洗浄することにある。
【００１５】
このブランケット洗浄装置は、不織布等の特殊な洗浄布を押し付けて、自動的にブランケット胴のブランケットの汚れを拭う方式のものが採用可能である。このため、ブランケット洗浄を高速回転で行えば、洗浄布は、回転するブランケットとの摩擦抵抗により、破断または巻きほぐれが発生し、洗浄布がブランケット胴に巻き込まれるおそれがある。その結果、ブランケット洗浄は、輪転機を低速回転に維持した状態で行うことが余儀なくされていた。
【００１６】
本発明は、洗浄布方式のブランケット洗浄装置を使用する場合であっても、ブランケット胴の回転速度に基づいて前記洗浄装置の洗浄部（洗浄布）を断続的に押圧させる時間を制御することにより、洗浄部とブランケット胴との間に発生する摩擦を受ける時間を制御する。すなわち、ブランケット洗浄による洗浄部とブランケット胴との間に発生する摩擦抵抗は、ブランケット胴の回転速度に左右されないのではないかとの発想から、独自の洗浄パターンを開発した。
【００１７】
このように、本発明は、ブランケット胴の回転速度に基づいて前記洗浄装置の洗浄部（洗浄布）を断続的に押圧させる時間を制御するため、ブランケット胴が高速回転している場合でも、洗浄装置の洗浄部でブランケット胴の表面の洗浄が可能となる。この結果、インキ供給装置の洗浄とブランケット洗浄との両方の洗浄時間の短縮を図ることができる。
【発明の効果】
【００１８】
本発明は、インキ供給装置の洗浄を行って輪転機が駆動している際に、回転しているブランケット胴の洗浄を行うので、高速回転でのブランケット洗浄を行い、その洗浄時間の短縮を図ることができる。
【図面の簡単な説明】
【００１９】
【図１】本発明の一実施の形態に係るオフセット輪転印刷機を構成する印刷ユニットの概略を示す正面図である。
【図２】同印刷ユニットの概略を示す斜視図である。
【図３】ブランケット洗浄装置を示し、（ａ）は洗浄布がブランケット胴から離間した状態を示す正面図、（ｂ）は洗浄布がブランケット胴に接触した状態を示す正面図である。
【図４】ブランケット洗浄工程についてのフロー図である。
【図５】インキローラ洗浄工程およびブランケット洗浄工程についてのフロー図である。
【図６】ブランケット洗浄工程を示す説明図である。
【図７】ブランケット洗浄装置における洗浄布を、ブランケット胴に押圧させるタイミングを示す図である。
【図８】インキローラおよびブランケットを洗浄する工程を示す説明図である。
【図９】インキローラおよびブランケットを洗浄する工程を示す説明図である。
【図１０】インキローラおよびブランケットを洗浄する工程を示す説明図である。
【図１１】インキローラおよびブランケットを洗浄する工程を示す説明図である。
【図１２】インキローラおよびブランケットを洗浄する工程を示す説明図である。
【発明を実施するための形態】
【００２０】
以下、本発明の実施形態について図面を参照しながら説明する。図１〜図８に本発明の一実施の形態を示す。
【００２１】
図１および図２は、本発明の洗浄方法を実施可能な印刷機としての輪転機の概略を示す。
【００２２】
輪転機は、印刷ユニット１が、１組、あるいは、長尺状の印刷用紙（ウエブ）２の走行方向に沿って設けられた複数組の印刷ユニットとして備えられている。なお、図１および図２は、単体の印刷ユニット１を示す。
【００２３】
印刷ユニット１には、ウェブパスラインＬを基準とした左右側のブランケット胴３と、左右側の版胴４と、インキローラ５ａ、５ｂを有するインキ供給装置５と、水着けローラ６ａを有する水供給装置６と、インキローラ５ｂや水着けローラ６ａのローラ脱着機構部７、８と、ブランケット洗浄装置１０と、ブランケット胴脱着機構部１１と、版胴移動機構部１２と、インキ洗浄装置３０と、制御部２０を備えている。
【００２４】
なお、図１において、左右側の印刷胴構成は同じ構成であるため、ローラ脱着機構部７、８と、ブランケット胴脱着機構部１１と、版胴移動機構部１２とは、一方（右側）の印刷胴構成について記載し、他方は図示省略する。
【００２５】
ブランケット洗浄装置１０は、各ブランケット胴３の近傍に配置されている。ブランケット洗浄装置１０は、図３に示すように、洗浄部としての長尺状の洗浄布１５が、装置本体１０ａに支持されたロール１０ｂに巻取り自在に構成されたファブリック供給装置からなる。なお、洗浄布１５は、モータ等の駆動手段（図示省略）により所定長さが巻取り可能である。洗浄布１５は、粘性が比較的高く低揮発性の洗浄液を予め含浸させた不織布等の洗浄ファブリックが使用される。
【００２６】
装置本体１０ａの先端には、押圧部材１６が設けられている。この押圧部材１６は、図示省略の圧縮空気供給源から供給される圧縮空気により膨張して、洗浄布１５をブランケット胴３の表面３ａに押圧させる（図３（ｂ）参照）。また、圧縮空気が供給されていない場合には、押圧部材１６は弾性力で扁平となり、この押圧部材１６（洗浄布１５）とブランケット胴３の表面３ａとの間には、間隙が生じている（図３（ａ）参照）。
【００２７】
インキ洗浄装置３０は、インキ供給装置５に設けられており、インキローラ５ａの残留インキを、洗浄液を掛けながらラバープレート（ブレード）３１でかき取る装置である。ブレード３１の移動はエアシリンダ等の駆動手段（図示省略）で行われる。インキ洗浄装置３０は、特に限定されるものではなく、ブレード３１とともに巻取り自在な洗浄布を備えたものであってもよい。
【００２８】
制御部２０は、第一制御部２１と、第二制御部２２とを備えている。第一制御部２１は、輪転機の駆動機構部を作動させる駆動モータＭと、インキ供給装置５と、水供給装置６と、ローラ脱着機構部７、８と、ブランケット胴脱着機構部１１と、版胴移動機構部１２とをそれぞれ制御する。
【００２９】
第二制御部２２は、ブランケット洗浄装置１０と、インキ洗浄装置３０とを制御する。具体的には、第一制御部２１と、第二制御部２２との間で信号の送受信が行われ、第二制御部２２は、第一制御部２１から送られてくる信号に基づき、ブランケット胴３の近傍に配置されたブランケット洗浄装置１０を作動させる。
【００３０】
すなわち、第一制御部２１からブランケット胴３の回転速度（輪転機速度）信号が第二制御部２２に送られ、第二制御部２２は、図７に示すように、ブランケット胴３の回転速度に基づいて、圧縮空気が断続的に押圧部材１６に供給されるように、洗浄布１５がブランケット胴３の表面に押圧する時間Ｔ１と、離間する時間Ｔ２とを制御する。
【００３１】
また、洗浄布１５は、ブランケット胴３から離間している間に、所定長さが巻き取られる。かかる洗浄布１５がブランケット胴３の表面に押圧する時間Ｔ１は、ブランケット胴３の回転速度に基づいて予め設定されている。なお、本実施の形態では、第一制御部２１と、第二制御部２２とを備えるが、単体のものであってもよく、制御部の数は特に限定されるものではない。
【００３２】
次に、以上の構成からなる輪転機におけるブランケット洗浄工程について、図４に示すフロー図を参照しながら説明する。
【００３３】
ブランケット洗浄パターン（洗浄プログラム）は、複数パターンが予め準備されており、従来の通常洗浄パターン（ブランケット胴３を一旦停止させ、その後にブランケット胴３を低速回転させながら洗浄する洗浄パターン）と、本実施の形態に係るブランケット洗浄パターン（第一洗浄パターン）とを選択できるようになっている。なお、第一洗浄パターンのプログラムは♯６に設定されている。
【００３４】
図４は、各ステップでの処理を示し、その処理は制御部２０に含まれるコンピュータにより実行される。
【００３５】
先ず、印刷が開始される前は、通常洗浄パターンで待機している（Ｓ１）。
【００３６】
次に、ウエブが走行し始めブランケット胴３の回転速度（輪転機速度）が所定回転速度（例えば約２００ｒｐｍ）以上となった場合（Ｓ２：ＹＥＳ）は、第一ブランケット洗浄が選択されているか否かが確認される。この第一ブランケット洗浄が選択されている場合（Ｓ３：ＹＥＳ）には、通常洗浄パターンでの洗浄プログラムが、制御部２０に記憶され（Ｓ４）、洗浄プラグラム♯６がセットされる（Ｓ５）。
【００３７】
さらに、輪転機速度の回転速度が所定回転速度（例えば、約３００ｒｐｍ）以上で、且つ胴入れを開始したと判断されると（Ｓ６：ＹＥＳ）、印刷状態であることを確認し（Ｓ７）、輪転機速度が、印刷を行う設定値の範囲内（例えば、約２００ｒｐｍ以上、約３００ｒｐｍ以下）であるか判断される。
【００３８】
かかる輪転機速度が設定値の範囲内であると判断した場合には（Ｓ８：ＹＥＳ）、第一ブランケット洗浄の洗浄待機を確認した後に（Ｓ９）、印刷を終了（胴抜け）するか否かを判断する。
【００３９】
さらに、印刷を続行する場合（Ｓ１０：ＮＯ）には、Ｓ７に戻る。
【００４０】
印刷を終了する場合（Ｓ１０：ＹＥＳ）は、断紙でない状態（Ｓ１１：ＮＯ）およびブランケット洗浄装置１０の洗浄布１５の量（Ｓ１２：ＮＯ）を確認した後に、第一ブランケット洗浄を実施する（Ｓ１３）。かかる第一ブランケット洗浄は、水供給装置６やインキ供給装置５の各ローラを版胴４から離した状態（脱状態）て行う。
【００４１】
なお、断紙と判断したり、または洗浄布１５が残小と判断した場合には、第一ブランケット洗浄を行うことなく機械を停止する（Ｓ１４）。
【００４２】
第一ブランケット洗浄を行う場合において、制御部２０の第一制御部２１は、図６に示すように、印刷終了時（胴抜け時）から輪転機速度（ブランケット胴の回転速度）を次第に減速させ所定の時間で停止するように制御する。例えば、胴抜けからブランケット胴３の回転停止までを１４秒と予め設定されており、その間にブランケット洗浄装置１０に圧縮空気を断続的に供給制御する。
【００４３】
減速回転するブランケット胴３の表面３ａに、押圧部材１６で洗浄布１５を１秒間だけ押圧することにより、ブランケット胴３の表面３ａを洗浄する。その後に、０．４秒間だけ洗浄布１５をブランケット胴３の表面３ａから離間させ、この離間時に洗浄布１５を所定量だけ巻取り、再び洗浄布１５を減速回転するブランケット胴３の表面３ａに押圧する。かかる動作をブランケット胴３が停止するまで繰り返して行う。
【００４４】
このように、洗浄布１５をブランケット胴３に押圧させる時間を、短時間にしているため、洗浄布１５が破断や巻きほぐれにより、高速回転しているブランケット胴３に巻き込まれるおそれはない。
【００４５】
機械停止後（ブランケット胴３の回転が停止後）に、洗浄プログラムを復旧させる（Ｓ１５）。
【００４６】
本実施の形態では、高速で印刷していた輪転機を停止させる際に、胴抜けから機械停止までの時間を利用して、ブランケット洗浄を行うため、ウエブを走行させながらブランケット洗浄を行っても、その損紙の発生と洗浄効果とのバランスを考慮した適正な動作開始を設定することができ、経済性を向上することが可能となる。
【００４７】
なお、洗浄布１５をブランケット胴３に押圧させる時間は、ブランケット胴３の回転速度に基づいて予め設定することができ、ブランケット胴３の回転速度が遅くなるのに応じて洗浄布１５の接触時間を長くなるように制御することも可能である。
【００４８】
また、ウエブを走行させない状態でブランケット洗浄を行うことも可能である。
【００４９】
しかも、ブランケット洗浄装置１０を作動させるタイミングは、胴抜け直後に限らず、所定時間経過でもよく、胴抜けからブランケット胴３の回転停止までの間で設定することができる。
【００５０】
次に、以上の構成からなる輪転機において、本発明に係るインキ供給装置５のインキローラ洗浄工程およびブランケット洗浄工程について、図５に示すフロー図および図８を参照しながら説明する。本発明に係る洗浄パターンは、インキローラ洗浄開始後にブランケット洗浄を連続して行う第二洗浄パターンをいう。なお、第二洗浄パターンは♯５に設定されている。
【００５１】
図５は、各ステップでの処理を示し、その処理は制御部２０に含まれるコンピュータにより実行される。
【００５２】
洗浄パターンは、インキローラ洗浄の後にブランケット胴３を一旦停止させ、その後に再びブランケット胴３を回転させてブランケット洗浄を行う通常洗浄パターンと、第二洗浄パターンとを選択できるようになっている。
【００５３】
先ず、輪転機の輪転機速度が所定回転速度（約６０ｒｐｍ）以上となった場合（Ｓ２０：ＹＥＳ）に、インキローラ洗浄を開始（Ｓ２１）し、元の通常洗浄パターンのプラグラムが記憶（Ｓ２２）されるとともに、洗浄プラグラム♯５にセットされる（Ｓ２３）。
【００５４】
インキローラ洗浄が終了したと判断（Ｓ２４：ＹＥＳ）した場合、輪転機が回転していることを確認し（Ｓ２５：ＮＯ）、さらに、輪転機速度が設定値の範囲内（例えば、約２００ｒｐｍ以上、約３００ｒｐｍ以下）であるか判断する。
【００５５】
輪転機速度が設定値の範囲内である場合には（Ｓ２６：ＹＥＳ）、第二ブランケット洗浄待機（Ｓ２７）とする。さらに、第二ブランケット洗浄スタートボタンがＯＮである場合（Ｓ２８）、洗浄布の量を確認し（Ｓ２９）、第二ブランケット洗浄を行う（Ｓ３０）。
【００５６】
かかる第二ブランケット洗浄は、ブランケット洗浄装置１０を制御して高速で且つ一定速度で回転しているブランケット胴３の洗浄を行う。押圧部材１６により洗浄布１５を断続的にブランケット胴３の表面に押圧するのは前記と同様であるが、洗浄布１５の押圧時間Ｔ１は、ブランケット胴３の回転速度に基づいて適宜設定されている。このように、ブランケット洗浄装置１０を制御するため、洗浄布１５が破断や巻きほぐれにより、高速回転しているブランケット胴３に巻き込まれるおそれはない。
【００５７】
第二ブランケット洗浄が終了して輪転機を停止（Ｓ２５：ＹＥＳ）する場合には、輪転機速度を減速させ、輪転機速度が低速（例えば６０ｒｐｍ以下）となったことを確認した後に（Ｓ３１）、洗浄プログラムを復旧（Ｓ３２）し、輪転機を停止させる（Ｓ３３）。
【００５８】
なお、第二ブランケット洗浄スタートボタンがＯＮされていない場合（Ｓ２８：ＮＯ）や洗浄布の量が不足する場合（Ｓ２９：ＹＥＳ）は、輪転機を停止させるべくＳ２５に移行する。
【００５９】
かかる第二ブランケット洗浄工程は、インキ供給装置の洗浄（インキローラ洗浄）により輪転機の速度を高速にした状態でブランケット洗浄を行うため、インキ供給装置の洗浄時間とブランケット洗浄時間とに要する洗浄時間の短縮を図ることができる。
【００６０】
前記実施の形態では、インキローラ洗浄の完了直後にブランケット洗浄を行う場合について説明したが、これに限定されるものではない。例えば、図９〜図１２に他の洗浄パターンを例示する。
【００６１】
図９に示す洗浄パターンは、インキローラ洗浄を開始した後で、且つインキローラ洗浄中の輪転機速度が増加しているときに、第二ブランケット洗浄を開始する。
【００６２】
図１０に示す洗浄パターンは、インキローラ洗浄の完了した後で輪転機速度が設定速度まで減速した時に、第二ブランケット洗浄を開始する。
【００６３】
図１１に示す洗浄パターンは、インキローラ洗浄の完了後に、輪転機速度を変化させることなく所定時間経過後に第二ブランケット洗浄を行う。
【００６４】
図１２に示す洗浄パターンは、インキローラ洗浄の完了した後に輪転機速度をさらに増加させて第二ブランケット洗浄を行う。
本発明は、前記実施の形態に限定されるものではない。例えば、ブランケット洗浄装置１０の押圧部材１６は、合成樹脂やゴム等のブロック体から構成し、シリンダ等で移動させることも可能である。また、ブランケット洗浄装置１０は、洗浄液を吹きつけてブラシロールでブランケット胴のブランケットの汚れをおとす方式のものであってもよい。
【符号の説明】
【００６５】
１          印刷ユニット
２          印刷用紙（ウエブ）
３          ブランケット胴
４          版胴
５          インキ供給装置
５ａ        インキローラ
６          水供給装置
６ａ        水着けローラ
７          ローラ脱着機構部
８          ローラ脱着機構部
１０        ブランケット洗浄装置
１１        ブランケット胴脱着機構部
１２        版胴移動機構部
１５        洗浄布（洗浄部）
１６        押圧部材
２０        制御部
２１        第一制御部
２２        第二制御部
３０        インキ洗浄装置
【図１】
2011016263.tif 000003
【図２】
2011016263.tif 000004
【図３】
2011016263.tif 000005
【図４】
2011016263.tif 000006
【図５】
2011016263.tif 000007
【図６】
2011016263.tif 000008
【図７】
2011016263.tif 000009
【図８】
2011016263.tif 000010
【図９】
2011016263.tif 000011
【図１０】
2011016263.tif 000012
【図１１】
2011016263.tif 000013
【図１２】
2011016263.tif 000014